(57)【要約】【課題】出隅部において利用される接合用役物に関連し、防水性の更なる向上を図るための技術を提案する。【解決手段】二つの外壁材１・２を直交に配置しつつ、二つの外壁材１・２の縦端面１ａ・２ａを隣接させて出隅部を形成するための、外壁材１・２の接合構造であって、前記各外壁材１・２の縦端面１ａ・２ａは、柱４などの下地材に固定される接合用役物６を介して接合されるものであって、前記接合用役物６には、前記各外壁材１・２の各裏面１ｂ・２ｂに対してそれぞれ対向する第一の止水部６２ａ・６２ｂと、前記各裏面１ｂ・２ｂと前記第一の止水部６２ａ・６２ｂの間から浸入した水を排水し得る縦方向の縦溝部１１ａ・１１ｂと、が形成されることとする。【選択図】図１
2011106258.tif 000002
【特許請求の範囲】
【請求項１】
二つの外壁材を直交に配置しつつ、二つの外壁材の縦端面を隣接させて出隅部を形成するための、外壁材の接合構造であって、
前記各外壁材の縦端面は、柱などの下地材に固定される接合用役物を介して接合されるものであって、
前記接合用役物には、
前記各外壁材の各裏面に対してそれぞれ対向する第一の止水部と、
前記各裏面と前記第一の止水部の間から浸入した水を排水し得る縦方向の縦溝部と、
が形成される、外壁材の接合構造。
【請求項２】
二つの外壁材を直交に配置しつつ、二つの外壁材の縦端面を隣接させて入隅部を形成するための、外壁材の接合構造であって、
前記各外壁材の縦端面は、柱などの下地材に固定される接合用役物を介して接合されるものであって、
前記接合用役物には、
前記各外壁材の各裏面に対してそれぞれ対向する第一の止水部と、
前記各裏面と前記第一の止水部の間から浸入した水を排水し得る縦方向の縦溝部と、
が形成される、外壁材の接合構造。
【請求項３】
前記接合用役物には、前記縦溝部の内側から前記外壁材の裏面への水の浸入を防ぐための第二の止水部であって、前記各外壁材の各裏面に対してそれぞれ対向する第二の止水部が形成される、
ことを特徴とする、請求項１又は請求項２に記載の外壁材の接合構造。
【請求項４】
前記各外壁材の各縦端面と接合用役物の間には、それぞれ、パッキン材が挟装される、
ことを特徴とする、請求項１乃至請求項３のいずれか一項に記載の外壁材の接合構造。
【請求項５】
前記接合用役物における外壁材と防水シートの間の部位の室内外方向の奥行き寸法は、外壁材と防水シートの間に形設される通気空間の室内外方向の奥行き寸法と略同一に設定される、
ことを特徴とする、請求項１乃至請求項４のいずれか一項に記載の外壁材の接合構造。
【請求項６】
二つの外壁材を直交に配置しつつ、二つの外壁材の縦端面を隣接させて出隅部を形成するために用いる接合用役物であって、
前記接合用役物には、前記各外壁材の各裏面に対してそれぞれ対向する第一の止水部と、
前記各裏面と前記第一の止水部の間から浸入した水を排水し得る縦方向の縦溝部と、
が形成される、接合用役物。
【請求項７】
二つの外壁材を直交に配置しつつ、二つの外壁材の縦端面を隣接させて入隅部を形成するために用いる接合用役物であって、
前記接合用役物には、
前記各外壁材の各裏面に対してそれぞれ対向する第一の止水部と、
前記各裏面と前記第一の止水部の間から浸入した水を排水し得る縦方向の縦溝部と、
が形成される、接合用役物。
【請求項８】
前記接合用役物には、前記縦溝部の内側から前記外壁材の裏面への水の浸入を防ぐための第二の止水部であって、前記各外壁材の各裏面に対してそれぞれ対向する第二の止水部が形成される、
ことを特徴とする、請求項６又は請求項７に記載の接合用役物。
【請求項９】
前記各外壁材の各縦端面と接合用役物の間には、それぞれ、パッキン材が挟装される、
ことを特徴とする、請求項６乃至請求項８のいずれか一項に記載の接合用役物。
【請求項１０】
前記接合用役物における外壁材と防水シートの間の部位の室内外方向の奥行き寸法は、外壁材と防水シートの間に形設される通気空間の室内外方向の奥行き寸法と略同一に設定される、
ことを特徴とする、請求項６乃至請求項９のいずれか一項に記載の接合用役物。
【請求項１１】
請求項６乃至請求項１０のいずれか一項に記載の接合用役物を用い、二つの外壁材の段差加工の無い縦端面を接合用役物を介して接合することで、出隅部、又は、入隅部を形成する、外壁の隅部工法。
【発明の詳細な説明】
【技術分野】
【０００１】
本発明は、窯業系サイディングなどの外壁材にて外壁を構成するための技術に関するものであり、より詳しくは、出隅部や入隅部において外壁材を接合させるための技術に関する。
【背景技術】
【０００２】
従来、窯業系サイディングなどの外壁材にて外壁が構成されるものについて、出隅部に専用の部材を配置するとともに、この専用の部材に対し平面視において直交するように二つの外壁材の端部を挿し込むことにより、出隅部において二つの外壁材が接合されることとする技術が知られている（特許文献１参照。）。
【０００３】
特許文献１では、接合用役物（接合金物）の二つの取付凹所にそれぞれ板部材の取付基端部が挿入される構成とするものであって、接合用役物の内側辺の内側突起部を、板部材の裏側面の裏側挿入溝に嵌着させることによって、板部材の裏側面まで雨水などの回り込みの防止を図る技術について開示がされている。
【先行技術文献】
【特許文献】
【０００４】
【特許文献１】特開２００１−４０８６６号公報
【発明の概要】
【発明が解決しようとする課題】
【０００５】
特許文献１に開示されるような形態で出隅部を構成するものにおいて、外壁材の裏側に対し、接合用役物の内側辺などを接触させることで、その接触された先の箇所への水の浸入の防止を図ることは、一般的に有効であるとされ、一定の効果を得ることが期待できる。外壁材の裏面と接合用役物の内側辺が接触するシール部が形成され、このシール部にて防水性（止水性能）が得られると考えられるためである。
【０００６】
しかし、外壁材の裏面に凹凸がある場合や、長尺の接合用役物の内側辺に撓みが生じている場合には、シール部において接触状態が形成されない部位が局所的に生じ、微小な隙間や孔が形成されてしまうことが考えられる。このような場合には、例えば、継続的に雨水が降りかかるような状況になると、いわゆる毛細管現象により、本来シール部にて止水されるべき水が、シール部を通過して浸入してしまうことが考えられる。
【０００７】
以上のようなことから、接合用役物の内側辺と外壁材の裏面にてシール部が形成される構成においては、更なる防水性の向上が望まれるものであるが、外壁材の裏面の凹凸や、接合用役物の撓みなどの問題は、製品のばらつきの存在も考えると、完全に解決することは困難である。
【０００８】
そこで、本発明は以上の問題に鑑み、出隅部において利用される接合用役物に関連し、防水性の更なる向上を図るための技術を提案するものである。
【０００９】
さらに、上述した出隅部のほか、入隅部においても同様に、二つの外壁材を直交に配置させるとともに、二つの外壁材の端部を隣接させることで、入隅部が形成されるものである。
【００１０】
そこで、本発明では、入隅部において利用される接合用役物に関連し、防水性の更なる向上を図るための技術を提案するものである。
【課題を解決するための手段】
【００１１】
本発明の解決しようとする課題は以上の如くであり、次にこの課題を解決するための手段を説明する。
【００１２】
即ち、請求項１に記載のごとく、
二つの外壁材を直交に配置しつつ、二つの外壁材の縦端面を隣接させて出隅部を形成するための、外壁材の接合構造であって、
前記各外壁材の縦端面は、柱などの下地材に固定される接合用役物を介して接合されるものであって、
前記接合用役物には、
前記各外壁材の各裏面に対してそれぞれ対向する第一の止水部と、
前記各裏面と前記第一の止水部の間から浸入した水を排水し得る縦方向の縦溝部と、
が形成されることとするものである。
【００１３】
また、請求項２に記載のごとく、
二つの外壁材を直交に配置しつつ、二つの外壁材の縦端面を隣接させて入隅部を形成するための、外壁材の接合構造であって、
前記各外壁材の縦端面は、柱などの下地材に固定される接合用役物を介して接合されるものであって、
前記接合用役物には、
前記各外壁材の各裏面に対してそれぞれ対向する第一の止水部と、
前記各裏面と前記第一の止水部の間から浸入した水を排水し得る縦方向の縦溝部と、
が形成されることとするものである。
【００１４】
また、請求項３に記載のごとく、
前記接合用役物には、前記縦溝部の内側から前記外壁材の裏面への水の浸入を防ぐための第二の止水部であって、前記各外壁材の各裏面に対してそれぞれ対向する第二の止水部が形成されることとするものである。
【００１５】
また、請求項４に記載のごとく、
前記各外壁材の各縦端面と接合用役物の間には、それぞれ、パッキン材が挟装されることとする。
【００１６】
また、請求項５に記載のごとく、
前記接合用役物における外壁材と防水シートの間の部位の室内外方向の奥行き寸法は、外壁材と防水シートの間に形設される通気空間の室内外方向の奥行き寸法と略同一に設定されるものである。
【００１７】
また、請求項６に記載のごとく、
二つの外壁材を直交に配置しつつ、二つの外壁材の縦端面を隣接させて出隅部を形成するために用いる接合用役物であって、
前記接合用役物には、前記各外壁材の各裏面に対してそれぞれ当接し得る第一の止水部と、
前記各裏面と前記第一の止水部の間から浸入した水を排水し得る縦方向の縦溝部と、
が形成されることとするものである。
【００１８】
また、請求項７に記載のごとく、
二つの外壁材を直交に配置しつつ、二つの外壁材の縦端面を隣接させて入隅部を形成するために用いる接合用役物であって、
前記接合用役物には、
前記各外壁材の各裏面に対してそれぞれ当接し得る第一の止水部と、
前記各裏面と前記第一の止水部の間から浸入した水を排水し得る縦方向の縦溝部と、
が形成されることとするものである。
【００１９】
また、請求項８に記載のごとく、
前記接合用役物には、前記縦溝部の内側から前記外壁材の裏面への水の浸入を防ぐための第二の止水部であって、前記各外壁材の各裏面に対してそれぞれ当接し得る第二の止水部が形成されることとするものである。
【００２０】
また、請求項９に記載のごとく、
前記各外壁材の各縦端面と接合用役物の間には、それぞれ、パッキン材が挟装されることとする。
【００２１】
また、請求項１０に記載のごとく、
前記接合用役物における外壁材と防水シートの間の部位の室内外方向の奥行き寸法は、外壁材と防水シートの間に形設される通気空間の室内外方向の奥行き寸法と略同一に設定されるものである。
【００２２】
また、請求項１１に記載のごとく、
請求項６乃至請求項１０のいずれか一項に記載の接合用役物を用い、二つの外壁材の段差加工の無い縦端面を接合用役物を介して接合することで、出隅部、又は、入隅部を形成する、外壁の隅部工法とするものである。
【発明の効果】
【００２３】
本発明の効果として、以下に示すような効果を奏する。
【００２４】
即ち、請求項１に記載の発明においては、
縦端面を接合して出隅部を構成する場合において、仮に、第一の止水部と裏面の間から水が浸入した場合でも、この水を縦溝部によって排水することができ、優れた防水性を確保することが可能となる。
【００２５】
また、請求項２に記載の発明においては、
縦端面を接合して入隅部を構成する場合において、仮に、第一の止水部と裏面の間から水が浸入した場合でも、この水を縦溝部によって排水することができ、優れた防水性を確保することが可能となる。
【００２６】
また、請求項３に記載の発明においては、
外壁材の裏面において縦溝部よりも内側への水の浸入を防止することができ、防水性の向上を図ることが可能となる。
【００２７】
また、請求項４に記載の発明においては、
前記各外壁材の各縦端面と接合用役物の間の隙間がパッキン材によって埋められることになり、各縦端面における止水を図ることができる。
【００２８】
また、請求項５に記載の発明においては、
外壁材と防水シートの間に通気空間が形成される工法において、他のスペーサー部材などを用いずに、接合用役物を利用することが可能となる。
【００２９】
また、請求項６に記載の発明においては、
縦端面を接合して出隅部を構成する場合において、仮に、第一の止水部と裏面の間から水が浸入した場合でも、この水を縦溝部によって排水することができ、優れた防水性を確保することが可能となる。
【００３０】
また、請求項７に記載の発明においては、
縦端面を接合して入隅部を構成する場合において、仮に、第一の止水部と裏面の間から水が浸入した場合でも、この水を縦溝部によって排水することができ、優れた防水性を確保することが可能となる。
【００３１】
また、請求項８に記載の発明においては、
外壁材の裏面において縦溝部よりも内側への水の浸入を防止することができ、防水性の向上を図ることが可能となる。
【００３２】
また、請求項９に記載の発明においては、
前記各外壁材の各縦端面と接合用役物の間の隙間がパッキン材によって埋められることになり、各縦端面における止水を図ることができる。
【００３３】
また、請求項１０に記載の発明においては、
外壁材と防水シートの間に通気空間が形成される工法において、他のスペーサー部材などを用いずに、接合用役物を利用することが可能となる。
【００３４】
また、請求項１１に記載の発明においては、
外壁材の幅寸法の調整が必要となった場合においては、施工現場にて外壁材を切断しさえすれば、この切断された箇所の端面において合じゃくり加工などの特別な段差加工を必要とすることなく、施工を完了することができ、優れた施工性を実現することができる。
【図面の簡単な説明】
【００３５】
【図１】実施例１の接合構造について示す斜視図。
【図２】実施例１の接合構造について示す水平断面図。
【図３】実施例２の接合構造について示す水平断面図。
【図４】実施例３の接合構造について示す斜視図。
【図５】実施例３の接合構造について示す水平断面図。
【図６】実施例４の接合構造について示す斜視図。
【図７】実施例４の接合構造について示す水平断面図。
【図８】実施例４の接合用役物の構成について示す分解図。
【発明を実施するための形態】
【００３６】
本発明の実施形態では、図１及び図２に示すごとく、
二つの外壁材１・２を直交に配置しつつ、二つの外壁材１・２の縦端面１ａ・２ａを隣接させて出隅部を形成するための、外壁材１・２の接合構造であって、
前記各外壁材１・２の縦端面１ａ・２ａは、柱４などの下地材に固定される接合用役物６を介して接合されるものであって、
前記接合用役物６には、前記各外壁材１・２の各裏面１ｂ・２ｂに対してそれぞれ対向する第一の止水部６２ａ・６２ｂと、
前記各裏面１ｂ・２ｂと前記第一の止水部６２ａ・６２ｂの間から浸入した水を排水し得る縦方向の縦溝部１１ａ・１１ｂと、
が形成されることとするものである。
【００３７】
これにより、縦端面１ａ・２ａを接合して出隅部を構成する場合において、仮に、第一の止水部６２ａ・６２ｂと裏面１ｂ・２ｂの間から水が浸入した場合でも、この水を縦溝部１１ａ・１１ｂによって排水することができ、優れた防水性を確保することが可能となる。
【００３８】
また、図２に示すごとく、前記接合用役物６には、前記縦溝部１１ａ・１１ｂの内側から前記外壁材１・２の裏面１ｂ・２ｂへの水の浸入を防ぐための第二の止水部６５ａ・６５ｂであって、前記各外壁材１・２の各裏面１ｂ・２ｂに対してそれぞれ対向する第二の止水部６５ａ・６５ｂが形成されることとするものである。
【００３９】
これにより、外壁材１・２の裏面１ｂ・２ｂにおいて縦溝部１１ａ・１１ｂよりも内側（外壁材１・２の幅方向の中心側）への水の浸入を防止することができ、防水性の向上を図ることが可能となる。
【００４０】
また、図２に示すごとく、前記各外壁材１・２の各縦端面１ａ・２ａと接合用役物６の間には、それぞれ、パッキン材７３・７４が挟装されることとする。
【００４１】
これにより、前記各外壁材１・２の各縦端面１ａ・２ａと接合用役物６の間の隙間がパッキン材７３・７４によって埋められることになり、各縦端面１ａ・２ａにおける止水を図ることができる。
【００４２】
また、図２に示すごとく、接合用役物６における外壁材１・２と防水シート５の間の部位の室内外方向の奥行き寸法（距離Ｗ１・Ｗ２）は、外壁材１・２と防水シート５の間に形設される通気空間１５の室内外方向の奥行き寸法（距離Ｗ３）と略同一に設定されるものである。
【００４３】
これにより、外壁材１・２と防水シート５の間に通気空間１５が形成される工法において、他のスペーサー部材などを用いずに、接合用役物６を利用することが可能となる。
【００４４】
また、図２に示すごとく、以上の接合用役物６を用い、二つの外壁材１・２の段差加工の無い縦端面１ａ・２ａを接合用役物６を介して接合することで、出隅部２０、又は、入隅部３０（図４参照）を形成する、隅部工法とするものである。
【００４５】
これにより、外壁材１の幅寸法の調整が必要となった場合においては、施工現場にて外壁材１を切断しさえすれば、この切断された箇所の端面において合じゃくり加工などの特別な段差加工を必要とすることなく、施工を完了することができ、優れた施工性を実現することができる。
【００４６】
また、別の実施形態として、図４及び図５に示すごとく、
二つの外壁材１０１・１０２を直交に配置しつつ、二つの外壁材１０１・１０２の縦端面１０１ａ・１０２ａを隣接させて入隅部３０を形成するための、外壁材１０１・１０２の接合構造であって、
前記各外壁材１０１・１０２の縦端面１０１ａ・１０２ａは、柱１０４などの下地材に固定される接合用役物１０６を介して接合されるものであって、
前記接合用役物１０６には、
前記各外壁材１０１・１０２の各裏面１０１ｂ・１０２ｂに対してそれぞれ対向する第一の止水部１６５・１６８と、
前記各裏面１０１ａ・１０２ａと前記第一の止水部１６５・１６８の間から浸入した水を排水し得る縦方向の縦溝部１１１ａ・１１１ｂと、
が形成されることとするものである。
【００４７】
これにより、縦端面１０１ａ・１０２ａを接合して入隅部３０を構成する場合において、仮に、第一の止水部１６５・１６８と裏面１０１ａ・１０２ａの間から水が浸入した場合でも、この水を縦溝部１１１ａ・１１１ｂによって排水することができ、優れた防水性を確保することが可能となる。
以下、実施例を用いて詳細について説明する。
【実施例１】
【００４８】
図１及び図２に示すごとく、本実施例１は、出隅部２０を構成する実施例である。
二つの外壁材１・２は、その縦端面１ａ・２ａを隣接させつつ、両外壁材１・２の裏面１ｂ・２ｂにて略９０度の角度が形成されるように直交に配置され、両縦端面１ａ・２ａの間に接合用役物６が介設される。これにより、出隅部２０が形成されるようになっている。また、各縦端面１ａ・２ａは、段差加工の無い縦端面にて構成されるものである。
なお、本明細書中において、「段差加工の無い縦端面」とは、外壁材を施工現場にて外壁面に対して垂直方向に切断することで単純に形成される垂直切断面（切りっ放し端面ともいう）や、工場などで規格寸法に形成された状態で単純な垂直端面を形成している端面も含むものであり、合じゃくり加工のように「積極的に特定の段差を形成することを意図した加工」がなされていない端面をいうものである。
【００４９】
また、図１及び図２に示すごとく、外壁材１・２は、図示せぬ留め金具によって柱４などに対して留め付けられるようになっており、この留め金具によって、各外壁材１・２の裏面１ｂ・２ｂと防水シート５の間に通気空間１５が形成され得るようになっている。
【００５０】
また、図１及び図２に示すごとく、接合用役物６は、図示せぬ固定具により、防水シート５を介して柱４に対して固定されるようになっている。なお、接合用役物６は、柱４の他、縦胴縁、間柱、胴縁、下地用ボード材などの各種の下地材に対して取付けることもできる。
【００５１】
また、図２に示すごとく、接合用役物６は、長尺の部材であって上下方向に長く配設されるものである。この接合用役物６は、防水シート５を介して柱４の角部に固定される断面略Ｌ字状の固定板部６１と、固定板部６１の角部から外壁材１・２の縦端面１ａ・２ａへ向かうように延出される縦板部６２を有している。なお、本実施例の接合用役物６は、金属などからなる板材を板金加工することによって、各部位を構成することとしているが、この他、金属を押出成形することによって各部位が形成されることとしてもよい。
【００５２】
また、図２に示すごとく、縦板部６２の先端部には、外壁材１の縦端面１ａに対面し得る外側縦板部６３と、外壁材２の縦端面２ａに対面し得る外側縦板部６４が設けられている。各外側縦板部６３・６４には、それぞれ、縦端面１ａ・２ａに当着し得るパッキン材７３・７４が貼設されており、外側縦板部６３と縦端面１ａの間の隙間、外側縦板部６４と縦端面２ａの間の隙間が、それぞれパッキン材７３・７４によって埋められ得るようになっている。これにより、外側縦板部６３と縦端面１ａの間にシール面１３ａが、外側縦板部６４と縦端面２ａの間にシール面１３ｂがそれぞれ形設され、このシール面１３ａ・１３ｂによる止水を図れるようになっている。
【００５３】
また、図２に示すごとく、パッキン材７３・７４は、ゴムや樹脂などの弾性のある素材にて構成されることとしている。これにより、外壁材１・２の縦端面１ａ・２ａの凹凸や、接合用役物６の撓みなどが存在した場合であっても、パッキン材７３・７４が弾性によって変形し、これら凹凸や撓みによるシール面１３ａ・１３ｂの隙間形成を防ぐことができる。つまり、パッキン材７３・７４によって、縦端面１ａ・２ａの凹凸や、接合用役物６の撓みなどを吸収することが可能となるのである。なお、パッキン材７３・７４は、幅を有する帯状のものとするほか、他の形態であってもよく、また、接合用役物６とは別体であって、施工時に都度挟装されるものであってもよい。
【００５４】
また、図２に示すごとく、各外側縦板部６３・６４の先端部には、外壁材１・２の外装面１ｃ・２ｃに対面する折返片部６３ａ・６４ａがそれぞれ設けられている。この折返片部６３ａ・６４ａによって、パッキン材７３・７４が外観に現れないように隠されることとなって、パッキン材７３・７４による美観低下を防ぐことができるとともに、図１に示すごとく、外側縦板部６３・６４と折返片部６３ａ・６４ａによって連続的な意匠外観面を形成することが可能となる。
【００５５】
また、図２に示すごとく、縦板部６２の先端部には、外壁材１・２の裏面１ｂ・２ｂに対してそれぞれ当接し得る第一の止水部６２ａ・６２ｂが設けられている。この第一の止水部６２ａ・６２ｂは、裏面１ｂ・２ｂと平行となる板面で構成されており、裏面１ｂ・２ｂに対して幅Ｗａ・Ｗｂの範囲において面で当接する部位を有する構成としている。このように、幅Ｗａ・Ｗｂを確保することにより、幅Ｗａ・Ｗｂのシール面１３ｃ・１３ｄが形設されることになって、このシール面１３ｃ・１３ｄによる止水を図れるようになっている。なお、第一の止水部６２ａ・６２ｂにゴムや樹脂などからなるパッキン材を設け、第一の止水部６２ａ・６２ｂと外壁材１・２の裏面１ｂ・２ｂの間に、パッキン材が介装される構成としてもよい。即ち、各裏面１ｂ・２ｂに対し第一の止水部６２ａ・６２ｂがパッキン材を介して当接し得る構成としてもよい。また、第一の止水部６２ａ・６２ｂが１ｂ・２ｂと接触せずに隙間が形成される場合であっても、後述の縦溝部１１ａ・１１ｂによる排水が確保されることから、大きな問題が生じることはない。
【００５６】
以上のようにして、図２に示すごとく、パッキン材７３・７４により形成されるシール面１３ａ・１３ｂによる第一段階の止水と、第一の止水部６２ａ・６２ｂによって形成されるシール面１３ｃ・１３ｄよる第二段階の止水が実現される。
【００５７】
また、図２に示すごとく、接合用役物６において、断面略Ｌ字状の固定板部６１の両端部には、それぞれ、裏側縦板部６５Ａ・６５Ｂが設けられている。この裏側縦板部６５Ａ・６５Ｂは、固定板部６１から室外方向に延出されており、その先端部には、外壁材１・２の裏面１ｂ・２ｂに対してそれぞれ当接し得る第二の止水部６５ａ・６５ｂが設けられる。
【００５８】
そして、図１及び図２に示すごとく、以上の構成とする接合用役物６の構成により、縦板部６２と、外壁材１の裏面１ｂと、第一の止水部６２ａと、固定板部６１と、裏側縦板部６５Ａと、第二の止水部６５ａによって取り囲まれる上下方向の縦溝部１１ａが形成される。また、縦板部６２と、外壁材２の裏面２ｂと、第一の止水部６２ｂと、固定板部６１と、裏側縦板部６５Ｂと、第二の止水部６５ｂによって取り囲まれる上下方向の縦溝部１１ｂが形成されることになる。
【００５９】
これにより、第一の止水部６２ａ・６２ｂと外壁材１・２の裏面１ｂ・２ｂの間に形設されるシール面１３ｃ・１３ｄから水が浸入した場合でも、この浸入した水を縦溝部１１ａ・１１ｂから下方へ排水することが可能となる。また、第二の止水部６５ａ・６５ｂによって、第二の止水部６５ａ・６５ｂよりも内側にある、外壁材１・２の裏面１ｂ・２ｂへの水の浸入を防ぐことが可能となる。
【００６０】
以上のようにして、図１及び図２に示すごとく、仮に、第一の止水部６２ａ・６２ｂによって形成されるシール面１３ｃ・１３ｄの間から水が浸入した場合でも、この水を縦溝部１１ａ・１１ｂによって排水する第三段階の止水と、第二の止水部６５ａ・６５ｂによって外壁材１・２のさらに内側の裏面１ｂ・２ｂへの水の浸入を防止する第四段階の止水が実現される。
【００６１】
また、図２に示すごとく、第二の止水部６５ａ・６５ｂは、第一の止水部６２ａ・６２ｂと同様に、裏面１ｂ・２ｂと平行な板面で構成されており、裏面１ｂ・２ｂに対して幅Ｗｃ・Ｗｄの範囲において面で当接する部位を有する構成としている。このように、幅Ｗｃ・Ｗｄを確保することにより、幅Ｗｃ・Ｗｄのシール面１３ｅ・１３ｆが形設されることになって、確実な止水を図ることができる。なお、第二の止水部６５ａ・６５ｂにゴムや樹脂などからなるパッキン材を設け、第二の止水部６５ａ・６５ｂと外壁材１・２の裏面１ｂ・２ｂの間に、パッキン材が介装される構成としてもよい。即ち、各裏面１ｂ・２ｂに対し第二の止水部６５ａ・６５ｂがパッキン材を介して当接し得る構成としてもよい。また、この他、第二の止水部６５ａ・６５ｂが裏面１ｂ・２ｂに当接されず、シール面１３ｅ・１３ｆが形設されない構成にて実施することも考えられる。
【００６２】
また、図２に示すごとく、第一の止水部６２ａ・６２ｂと第二の止水部６５ａ・６５ｂは、それぞれ幅Ｗｅ・Ｗｆだけ離間して配置されることとなっており、外壁材１・２の裏面１ｂ・２ｂにおいては、止水部と接触しない部位１ｍ・２ｍが形成されるようになっている。
【００６３】
ここで、仮に、図２において、第一の止水部６２ａ・６２ｂと第二の止水部６５ａ・６５ｂが連続して設けられる場合には、止水部と接触しない部位１ｍ・２ｍが形成されず、裏面１ｂ・２ｂとの間で一連のシール面が形成されてしまうことになり、このシール面に小さな隙間が形設される場合には、いわゆる毛細管現象によって、水が浸入して、第二の止水部６５ａ・６５ｂを通過してしまうことになる。
【００６４】
この点、本実施例１の形態によれば、止水部と接触しない部位１ｍ・２ｍにおいてはシール面が形成されず、毛細管現象が生じないため、第一の止水部６２ａ・６２ｂによって形成されるシール面１３ａ・１３ｂを通過した水を縦溝部１１ａ・１１ｂに排水することができるようになる。また、外壁材１・２の幅方向において、シール面１３ｃ・１３ｄ、シール面１３ｅ・１３ｆが位置をずらして形設されるため、二段階にて止水を行うことができる。
【００６５】
また、図２に示すごとく、接合用役物６における固定板部６１から第一の止水部６２ａ・６２ｂまでの距離Ｗ１、及び、第二の止水部６５ａ・６５ｂまでの距離Ｗ２は、それぞれ、通気空間１５の奥行幅Ｗ３と略同一に形成されるようになっている。即ち、接合用役物６における外壁材１・２と防水シート５の間の部位の室内外方向の奥行き寸法（距離Ｗ１・Ｗ２）は、外壁材１・２と防水シート５の間に形設される通気空間１５の室内外方向の奥行き寸法（距離Ｗ３）と略同一に設定されるものである。これにより、外壁材１・２と防水シート５の間に通気空間１５が形成される工法において、他のスペーサー部材などを用いずに、接合用役物６を利用することが可能となる。
【００６６】
また、図２に示すごとく、接合用役物６の一部である外側縦板部６３・６４は、それぞれ、外壁材１・２の縦端面１ａ・２ａにパッキン材７３・７４を介して対向し得ることとしている。これにより、仮に、外壁材１・２が外側縦板部６３・６４に近づくように横方向にずれるような状況が生じた場合においては、この外側縦板部６３・６４によって外壁材１・２のズレを規制することが可能となる。この効果は、例えば、外壁材１・２を躯体側に固定するための固定金具が、横ずれ防止の機能を有していない場合など、外壁材１・２の横ずれの防止が図られていない工法においては、特に有効なものとなる。
【００６７】
また、図２に示すごとく、本実施例１の接合用役物６を用いることで、出隅部２０を構成するための外壁材１・２の縦端面１ａ・２ａは、段差加工の無い縦端面とすることができる。このため、例えば、外壁材１の幅寸法の調整が必要となった場合においては、施工現場にて外壁材１を切断しさえすれば、この切断された箇所の端面において合じゃくり加工などの特別な段差加工を必要とすることなく、施工を完了することができ、優れた施工性を実現することができる。
【実施例２】
【００６８】
本実施例２では、図３に示すごとく、接合用役物６Ａについて、縦板部６２の先端部に、出隅部２０にて窪んだ円弧断面を有する外観を構成するための外側縦板部６６を設ける構成とし、この外側縦板部６６と各縦端面１ａ・２ａの間にパッキン材６７・６８を介設する構成であって、他の構成は実施例１と同様である。
【００６９】
このように、図３に示すような円弧断面を有する外側縦板部６６を用いることにより、出隅部２０における外観意匠を外側縦板部６６の有するカーブした面にて構成することが可能となる。なお、図３に示すほか、出隅部２０にて膨らんだ円弧断面を有する外側縦板部を設ける構成とすることや、別体の化粧材を外側縦板部６６に取付けて化粧材にて外観意匠を構成することなども考えられる。
【実施例３】
【００７０】
図４及び図５に示すごとく、本実施例３は、入隅部３０を構成する実施例である。
二つの外壁材１０１・１０２は、その縦端面１０１ａ・１０２ａを隣接させつつ、両外壁材１０１・１０２の外装面１０１ｃ・１０２ｃにて略９０度の角度が形成されるように直交に配置される。これにより、入隅部３０が形成され、この入隅部３０における外壁材１０１・１０２と柱１０４、補助下地材１０４ａ・１０４ｂの間の空間に、接合用役物１０６が配設されるようになっている。
【００７１】
また、図４及び図５に示すごとく、外壁材１０１・１０２は、図示せぬ留め金具によって柱１０４（或いは補助下地材１０４ａ・１０４ｂ）などに対して留め付けられるようになっており、この留め金具によって、各外壁材１０１・１０２の裏面１０１ｂ・１０２ｂと防水シート１０５の間に通気空間１１５が形成され得るようになっている。
【００７２】
また、図５に示すごとく、接合用役物１０６は、柱１０４に固定される補助下地材１０４ａ・１０４ｂに対して、防水シート１０５を介して図示せぬ固定具によって固定されるようになっている。なお、接合用役物１０６は、補助下地材１０４ａ・１０４ｂの他、縦胴縁、間柱、胴縁、下地用ボード材などの各種の下地材に対して取付けることもできる。
【００７３】
また、図５に示すごとく、接合用役物１０６は、長尺の部材であって上下方向に長く配設されるものである。この接合用役物１０６は、互いに直交する面を形成する補助下地材１０４ａ・１０４ｂの表面に固定され、それぞれ外壁材１０１・１０２の裏面１０１ｂ・１０２ｂに対向する固定板部１６１・１６２を有している。なお、本実施例の接合用役物１０６は、金属などからなる板材を板金加工することによって、各部位を構成することとしているが、この他、金属を押出成形することによって各部位が形成されることとしてもよい。
【００７４】
また、図５に示すごとく、接合用役物１０６は、固定板部１６１の両端部から外壁材１０１の裏面１０１ｂに向かって延出され、裏面１０１ｂに当接し得る縦板部１６３・１６４と、裏面１０１ｂに対して当接し得る第一の止水部１６５と、縦端面１０１ａに対向し得る内側縦板部１７１と、を有している。また、接合用役物１０６は、固定板部１６２の両端部から外壁材１０２の裏面１０２ｂに向かって延出され、裏面１０２ｂに当接し得る縦板部１６６・１６７と、裏面１０１ｂに対して当接し得る第一の止水部１６８と、縦端面１０２ａに対向し得る内側縦板部１７２と、を有している。また、内側縦板部１７１・１７２は、互いに直交するように連続して設けられており、外壁材１０１・１０２の間に形設される隙間１０７の内側に、これら内側縦板部１７１・１７２にて形設される角部が配置されるようになっている。
【００７５】
また、図５に示すごとく、内側縦板部１７１・１７２には、それぞれ、縦端面１０１ａ・１０２ａに当着し得るパッキン材１７３・１７４が貼設されており、内側縦板部１７１と縦端面１０１ａの間の隙間、内側縦板部１７２と縦端面１０２ａの間の隙間が、それぞれパッキン材１７３・１７４によって埋められ得るようになっている。これにより、内側縦板部１７１と縦端面１０１ａの間にシール面１１３ａが、内側縦板部１７２と縦端面１０２ａの間にシール面１１３ｂがそれぞれ形設され、このシール面１１３ａ・１１３ｂによる止水を図れるようになっている。
【００７６】
また、図５に示すごとく、パッキン材１７３・１７４は、ゴムや樹脂などの弾性のある素材にて構成されることとしている。これにより、外壁材１０１・１０２の縦端面１０１ａ・１０２ａの凹凸や、接合用役物１０６の撓みなどが存在した場合であっても、パッキン材１７３・１７４が弾性によって変形し、これら凹凸や撓みによるシール面１１３ａ・１１３ｂの隙間形成を防ぐことができる。つまり、パッキン材１７３・１７４によって、縦端面１０１ａ・１０２ａの凹凸や、接合用役物１０６の撓みなどを吸収することが可能となるのである。なお、パッキン材１７３・１７４は、幅を有する帯状のものとするほか、他の形態であってもよく、また、接合用役物１０６とは別体であって、施工時に都度挟装されるものであってもよい。
【００７７】
また、図５に示すごとく、第一の止水部１６５・１６８は、裏面１０１ｂ・１０２ｂと平行となる板面で構成されており、裏面１０１ｂ・１０２ｂに対して幅Ｗｇ・Ｗｈの範囲において面で当接する部位を有する構成としている。このように、幅Ｗｇ・Ｗｈを確保することにより、幅Ｗｇ・Ｗｈのシール面１１３ｃ・１１３ｄが形設されることになって、このシール面１１３ｃ・１１３ｄによる止水を図れるようになっている。なお、第一の止水部１６５・１６８にゴムや樹脂などからなるパッキン材を設け、第一の止水部１６５・１６８と外壁材１０１・１０２の裏面１０１ｂ・１０２ｂの間に、パッキン材が介装される構成としてもよい。即ち、各裏面１０１ｂ・１０２ｂに対し第一の止水部１６５・１６８がパッキン材を介して当接し得る構成としてもよい。また、第一の止水部１６５・１６８が１０１ｂ・１０２ｂと接触せずに隙間が形成される場合であっても、後述の縦溝部１１１ａ・１１１ｂによる排水が確保されることから、大きな問題が生じることはない。
【００７８】
以上のようにして、図５に示すごとく、パッキン材１７３・１７４により形成されるシール面１１３ａ・１１３ｂによる第一段階の止水と、第一の止水部１６５・１６８によって形成されるシール面１１３ｃ・１１３ｄよる第二段階の止水が実現される。
【００７９】
また、図５に示すごとく、縦板部１６４の先端に形設される第二の止水部１６４ａが、外壁材１０１の裏面１０１ｂに当接し得るようになっている。これにより、固定板部１６１と第一の止水部１６５と、縦板部１６３・１６４と、によって取り囲まれた上下方向の縦溝部１１１ａが形成されるようになっている。なお、第二の止水部１６４ａについては、図５に示すように折り返して設けるほか、裏面１０１ｂと平行に設けて裏面１０１ｂに当接させ、第二の止水部１６４ａと裏面１０１ｂの間に幅のあるシール面を構成することとしてもよい。
【００８０】
同様に、図５に示すごとく、縦板部１６７の先端に形設される第二の止水部１６７ａが、外壁材１０２の裏面１０２ｂに当接し得るようになっている。これにより、固定板部１６２と第一の止水部１６８と、縦板部１６６・１６７と、によって取り囲まれた上下方向の縦溝部１１１ｂが形成されるようになっている。なお、第二の止水部１６７ａについては、図５に示すように折り返して設けるほか、裏面１０２ｂと平行に設けて裏面１０２ｂに当接させ、止水部１６７ａと裏面１０２ｂの間に幅のあるシール面を構成することとしてもよい。
【００８１】
また、図５に示すごとく、以上の構成において、各止水部１６４ａ・１６７ａと各裏面１０１ｂ・１０２ｂが当接することで、両者の間にそれぞれシール部１１３ｅ・１１３ｆを形成することができる。なお、各止水部１６４ａ・１６７ａにゴムや樹脂などからなるパッキン材を設け、各止水部１６４ａ・１６７ａと外壁材１０１・１０２の裏面１０１ｂ・１０２ｂの間に、パッキン材が介装される構成としてもよい。即ち、各裏面１０１ｂ・１０２ｂに対し第二の止水部１６４ａ・１６７ａがパッキン材を介して当接し得る構成としてもよい。また、この他、第二の止水部１６４ａ・１６７ａが裏面１０１ｂ・１０２ｂに当接されず、シール部１１３ｅ・１１３ｆが形設されない構成にて実施することも考えられる。
【００８２】
以上の構成により、第一の止水部１６５・１６８と外壁材１０１・１０２の裏面１０１ｂ・１０２ｂの間に形設されるシール面１１３ｃ・１１３ｄから水が浸入した場合でも、この浸入した水を縦溝部１１１ａ・１１１ｂから下方へ排水することが可能となる。また、第二の止水部１６４ａ・１６７ａによって、第二の止水部１６４ａ・１６７ａよりも内側にある、外壁材１０１・１０２の裏面１０１ｂ・１０２ｂへの水の浸入を防ぐことが可能となる。
【００８３】
以上のようにして、図４及び図５に示すごとく、仮に、第一の止水部１６５・１６８によって形成されるシール面１１３ｃ・１１３ｄの間から水が浸入した場合でも、この水を縦溝部１１１ａ・１１１ｂによって排水する第三段階の止水と、第二の止水部１６４ａ・１６７ａによって外壁材１０１・１０２のさらに内側の裏面１０１ｂ・１０２ｂへの水の浸入を防止する第四段階の止水が実現される。
【００８４】
また、図５に示すごとく、接合用役物１０６における固定板部１６１・１６２から第一の止水部１６５・１６８までの距離Ｗ４、及び、第二の止水部１６４ａ・１６７ａまでの距離Ｗ５は、それぞれ、通気空間１１５の奥行幅Ｗ６と略同一に形成されるようになっている。即ち、接合用役物１０６における外壁材１０１・１０２と防水シート１０５の間の部位の室内外方向の奥行き寸法（距離Ｗ４・Ｗ５）は、外壁材１０１・１０２と防水シート１０５の間に形設される通気空間１１５の室内外方向の奥行き寸法（距離Ｗ６）と略同一に設定されるものである。これにより、外壁材１０１・１０２と防水シート１０５の間に通気空間１１５が形成される工法において、他のスペーサー部材などを用いずに、接合用役物１０６を利用することが可能となる。
【００８５】
また、図５に示すごとく、接合用役物１０６の一部である内側縦板部１７１・１７２は、それぞれ、外壁材１０１・１０２の縦端面１０１ａ・１０２ａにパッキン材１７３・１７４を介して対向し得ることとしている。これにより、仮に、外壁材１０１・１０２が内側縦板部１７１・１７２に近づくように横方向にずれるような状況が生じた場合においては、この内側縦板部１７１・１７２によって外壁材１０１・１０２のズレを規制することが可能となる。この効果は、例えば、外壁材１０１・１０２を躯体側に固定するための固定金具が、横ずれ防止の機能を有していない場合など、外壁材１０１・１０２の横ずれの防止が図られていない工法においては、特に有効なものとなる。
【００８６】
また、図５に示すごとく、本実施例３の接合用役物１０６を用いることで、入隅部３０を構成するための外壁材１０１・１０２の縦端面１０１ａ・１０２ａは、段差加工の無い縦端面とすることができる。このため、例えば、外壁材１０１の幅寸法の調整が必要となった場合においては、施工現場にて外壁材１０１を切断しさえすれば、この切断された箇所の端面において合じゃくり加工などの特別な段差加工を必要とすることなく、施工を完了することができ、優れた施工性を実現することができる。
【実施例４】
【００８７】
図６及び図７に示すごとく、本実施例４は、入隅部４０を構成する実施例である。
二つの外壁材２０１・２０２は、その縦端面２０１ａ・２０２ａを隣接させつつ、両外壁材２０１・２０２の外装面２０１ｃ・２０２ｃにて略９０度の角度が形成されるように直交に配置される。これにより、入隅部４０が形成され、この入隅部４０における外壁材２０１・２０２と柱２０４、補助下地材２０４ａ・２０４ｂの間の空間に、接合用役物２０６が配設されるようになっている。
【００８８】
また、図６及び図７に示すごとく、外壁材２０１・２０２は、図示せぬ留め金具によって柱２０４（或いは補助下地材２０４ａ・２０４ｂ）などに対して留め付けられるようになっており、この留め金具によって、各外壁材２０１・２０２の裏面２０１ｂ・２０２ｂと防水シート２０５の間に通気空間２１５が形成され得るようになっている。
【００８９】
また、図７に示すごとく、接合用役物２０６は、柱２０４に固定される補助下地材２０４ａ・２０４ｂに対して、防水シート２０５を介して固定具２８１・２８２によって固定されるようになっている。なお、接合用役物２０６は、補助下地材２０４ａ・２０４ｂの他、縦胴縁、間柱、胴縁、下地用ボード材などの各種の下地材に対して取付けることもできる。
【００９０】
また、図８に示すごとく、接合用役物２０６は、役物本体２０６Ａと、この役物本体２０６Ａに付設して使用される付設役物２０６Ｂの二部材にて構成されている。
【００９１】
また、図７及び図８に示すごとく、役物本体２０６Ａは、長尺の部材であって上下方向に長く配設されるものである。この役物本体２０６Ａは、互いに直交する面を形成する補助下地材２０４ａ・２０４ｂの表面に固定され、それぞれ外壁材２０１・２０２の裏面２０１ｂ・２０２ｂに対向する固定板部２６１・２６２を有している。なお、本実施例の役物本体２０６Ａは、金属などからなる板材を板金加工することによって、各部位を構成することとしているが、この他、金属を押出成形することによって各部位が形成されることとしてもよい。
【００９２】
また、図７に示すごとく、役物本体２０６Ａは、固定板部２６１の両端部から外壁材２０１の裏面２０１ｂに向かって延出される縦板部２６３・２６４と、裏面２０１ｂに対して対向する第一の止水部２６５と、外壁材２０１の縦端面２０１ａに対向し得る内側縦板部２７１と、を有している。また、役物本体２０６Ａは、固定板部２６２の両端部から外壁材２０２の裏面２０２ｂに向かって延出される縦板部２６６・２６７を有しており、内側縦板部２７１に近い側にある縦板部２６６は、内側縦板部２７１と直行するように連続して設けられている。
【００９３】
また、図７及び図８に示すごとく、役物本体２０６Ａにおいて、固定板部２６２及び縦板部２６６・２６７にて囲まれる箇所には、付設役物２０６Ｂが納められるようになっている。この付設役物２０６Ｂは、長尺の部材であって上下方向に長く配設されるものであり、役物本体２０６Ａの固定板部２６２に当接し、固定板部２６２を介して補助下地材２０４ｂに固定される固定板部２９２と、固定板部２９２の両端部から外壁材２０２の裏面２０２ｂに向かって延出される縦板部２９３・２９４と、縦板部２９４から縦板部２９３の反対側に延設されて外壁材２０２の裏面２０２ｂに対向する第一の止水部２９５と、第一の止水部２９５から外壁材２０２の縦端面２０２ａに対向する挟装縦板部２９６と、を有している。この挟装縦板部２９６は、外壁材２０１・２０２の間に形設される隙間２０７の内側に挟装されるようにして設けられる。
【００９４】
また、図７に示すごとく、内側縦板部２７１には、外壁材２０１の縦端面２０１ａに当着し得るパッキン材２７３が貼設されており、内側縦板部２７１と縦端面２０１ａの間の隙間が、パッキン材２７３によって埋められ得るようになっている。これにより、内側縦板部２７１と縦端面２０１ａの間にシール面２１３ａが形設され、このシール面２１３ａによる止水を図れるようになっている。
【００９５】
また、図７に示すごとく、第一の止水部２９５から挟装縦板部２９６に掛けては、外壁材２０２縦端面２０２ａ、及び、裏面２０２ｂに当着し得る略Ｌ字状のパッキン材２７４が貼設されており、第一の止水部２９５と裏面２０２ｂの間の隙間、及び、挟装縦板部２９６と縦端面２０２ａの間の隙間が、それぞれパッキン材２７４によって埋められ得るようになっている。これにより、第一の止水部２９５から挟装縦板部２９６にかけて一連のシール面２１３ｂが形設され、このシール面２１３ｂによる止水を図れるようになっている。
【００９６】
また、図７に示すごとく、パッキン材２７３・２７４は、ゴムや樹脂などの弾性のある素材にて構成されることとしている。これにより、外壁材２０１・２０２の縦端面２０１ａ・２０２ａの凹凸や、外壁材２０２の裏面２０２ｂの凹凸、さらには、接合用役物２０６（役物本体２０６Ａ、付設役物２０６Ｂ）の撓みなどが存在した場合であっても、パッキン材２７３・２７４が弾性によって変形し、これら凹凸や撓みによるシール面２１３ａ・２１３ｂの隙間形成を防ぐことができる。つまり、パッキン材２７３・２７４によって、縦端面２０１ａ・２０２ａの凹凸や、外壁材２０２の裏面２０２ｂの凹凸、さらには、接合用役物２０６の撓みなどを吸収することが可能となるのである。なお、パッキン材２７３・２７４は、幅を有する帯状のものとするほか、他の形態であってもよく、また、接合用役物２０６とは別体であって、施工時に都度挟装されるものであってもよい。
【００９７】
また、図７に示すごとく、第一の止水部２６５・２９５は、裏面２０１ｂ・２０２ｂと平行となる板面で構成されており、裏面２０１ｂ・２０２ｂに対して幅Ｗｍ・Ｗｎの範囲において対向する部位が形成されるようにしている。このように、幅Ｗｍ・Ｗｎを確保することにより、幅Ｗｍ・Ｗｎのシール面２１３ｃ・２１３ｄが形設されることになって、このシール面２１３ｃ・２１３ｄによる止水を図れるようになっている。なお、第一の止水部２６５については、裏面２０１ｂと接触せずに隙間が形成される場合であっても、後述の縦溝部２１１ａによる排水が確保されることから、大きな問題が生じることはない。また、第一の止水部２６５にゴムや樹脂などからなるパッキン材を設け、第一の止水部２６５と外壁材２０１の裏面２０１ｂの間に、パッキン材が介装される構成としてもよい。即ち、裏面２０１ｂに対し第一の止水部２６５がパッキン材を介して当接し得る構成としてもよい。
【００９８】
以上のようにして、図７に示すごとく、パッキン材２７３・２７４により形成されるシール面２１３ａ・２１３ｂによる第一段階の止水と、第一の止水部２６５・２９５によって形成されるシール面２１３ｃ・２１３ｄよる第二段階の止水が実現される。
【００９９】
また、図７に示すごとく、縦板部２６４の先端に形設される第二の止水部２６４ａが、外壁材２０１の裏面２０１ｂに当接し得るようになっている。これにより、固定板部２６１と縦板部２６３・２６４によって取り囲まれた上下方向の縦溝部２１１ａが形成されるようになっている。なお、第二の止水部２６４ａについては、図７に示すように折り返して設けるほか、裏面２０１ｂと平行に設けて裏面２０１ｂに当接させ、第二の止水部２６４ａと裏面２０１ｂの間に幅のあるシール面を構成することとしてもよい。
【０１００】
同様に、図７に示すごとく、付設役物２０６Ｂの縦板部２９３の先端に形設される第二の止水部２９３ａが、外壁材２０２の裏面２０２ｂに当接し得るようになっている。これにより、固定板部２９２と縦板部２９３・２９４によって取り囲まれた上下方向の縦溝部２１１ｂが形成されるようになっている。なお、第二の止水部２９３ａについては、図７に示すように折り返して設けるほか、裏面２０２ｂと平行に設けて裏面２０２ｂに当接させ、止水部２９３ａと裏面２０２ｂの間に幅のあるシール面を構成することとしてもよい。
【０１０１】
また、図７に示すごとく、以上の構成において、各止水部２６４ａ・２９３ａと各裏面２０１ｂ・２０２ｂが当接することで、両者の間にそれぞれシール部２１３ｅ・２１３ｆを形成することができる。なお、各止水部２６４ａ・２９３ａにゴムや樹脂などからなるパッキン材を設け、各止水部２６４ａ・２９３ａと外壁材２０１・２０２の裏面２０１ｂ・２０２ｂの間に、パッキン材が介装される構成としてもよい。即ち、各裏面２０１ｂ・２０２ｂに対し第二の止水部２６４ａ・２９３ａがパッキン材を介して当接し得る構成としてもよい。また、この他、第二の止水部２６４ａ・２９３ａが裏面２０１ｂ・２０２ｂに当接されず、シール部２１３ｅ・２１３ｆが形設されない構成にて実施することも考えられる。
【０１０２】
以上の構成により、第一の止水部２６５・２９５と外壁材２０１・２０２の裏面２０１ｂ・２０２ｂの間に形設されるシール面２１３ｃ・２１３ｄから水が浸入した場合でも、この浸入した水を縦溝部２１１ａ・２１１ｂから下方へ排水することが可能となる。また、第二の止水部２６４ａ・２９３ａによって、第二の止水部２６４ａ・２９３ａよりも内側にある、外壁材２０１・２０２の裏面２０１ｂ・２０２ｂへの水の浸入を防ぐことが可能となる。
【０１０３】
以上のようにして、図６及び図７に示すごとく、仮に、第一の止水部２６５・２９５によって形成されるシール面２１３ｃ・２１３ｄの間から水が浸入した場合でも、この水を縦溝部２１１ａ・２１１ｂによって排水する第三段階の止水と、第二の止水部２６４ａ・２９３ａによって外壁材２０１・２０２のさらに内側の裏面２０１ｂ・２０２ｂへの水の浸入を防止する第四段階の止水が実現される。
【０１０４】
また、図７に示すごとく、第二の止水部２６４ａ・２９３ａから防水シート２０５までの距離Ｗ８は、それぞれ、通気空間２１５の奥行幅Ｗ９と略同一に形成されるようになっている。これにより、外壁材２０１・２０２と防水シート２０５の間に通気空間２１５が形成される工法において、他のスペーサー部材などを用いずに、接合用役物２０６を利用することが可能となる。
【０１０５】
また、図７に示すごとく、接合用役物２０６の一部である内側縦板部２７１及び挟装縦板部２９６は、それぞれ、外壁材２０１・２０２の縦端面２０１ａ・２０２ａにパッキン材２７３・２７４を介して対向し得ることとしている。これにより、仮に、外壁材２０１・２０２が、それぞれ内側縦板部２７１、挟装縦板部２９６に近づくように横方向にずれるような状況が生じた場合においては、この内側縦板部２７１、挟装縦板部２９６によって外壁材２０１・２０２のズレを規制することが可能となる。この効果は、例えば、外壁材２０１・２０２を躯体側に固定するための固定金具が、横ずれ防止の機能を有していない場合など、外壁材２０１・２０２の横ずれの防止が図られていない工法においては、特に有効なものとなる。
【０１０６】
また、図７に示すごとく、本実施例４の接合用役物２０６を用いることで、入隅部４０を構成するための外壁材２０１・２０２の縦端面２０１ａ・２０２ａは、段差加工の無い縦端面とすることができる。このため、例えば、外壁材２０１の幅寸法の調整が必要となった場合においては、施工現場にて外壁材２０１を切断しさえすれば、この切断された箇所の端面において合じゃくり加工などの特別な段差加工を必要とすることなく、施工を完了することができ、優れた施工性を実現することができる。
【産業上の利用可能性】
【０１０７】
本発明の構成は、窯業系サイディング、セラミック系サイディング、金属系サイディング、ＡＬＣ板などの板状の外壁材を接合させる接合構造において、広く適用することができる。
【符号の説明】
【０１０８】
１    外壁材
１ａ    縦端面
１ｂ    裏面
２    外壁材
２ａ    縦端面
２ｂ    裏面
４    柱
５    防水シート
６    接合用役物
１１ａ    縦溝部
１１ｂ    縦溝部
１３ａ    シール面
１３ｂ    シール面
１５    通気空間
２０    出隅部
３０    入隅部
６１    固定板部
６２    縦板部
６２ａ    第一の止水部
６２ｂ    第一の止水部
６３    外側縦板部
６４    外側縦板部
６５ａ    第二の止水部
６５ｂ    第二の止水部
６６    外側縦板部
７３    パッキン材
７４    パッキン材
【図１】
2011106258.tif 000003
【図２】
2011106258.tif 000004
【図３】
2011106258.tif 000005
【図４】
2011106258.tif 000006
【図５】
2011106258.tif 000007
【図６】
2011106258.tif 000008
【図７】
2011106258.tif 000009
【図８】
2011106258.tif 000010